(57)【要約】    【課題】子機からの呼び出しがあった場合に当該子機の存在する位置に配置されたカメラの映像を携帯型親機に送信できるようにする。    【解決手段】病院の室内に設けられ、識別番号が付与された複数の子機１及び子機から呼び出しされ通話するための親機２と、施設内で看護師が携帯し、映像を表示でき、子機から呼び出しされ通話するための携帯型親機３と、子機と共に室内に設けられ、デジタルデータプロトコルによって撮像した映像信号を送信する複数のカメラ４と、親機、携帯型親機及びカメラに接続され、子機からの呼出信号を携帯型親機に伝送し、カメラから送信された映像信号をデジタルデータとして携帯型親機に伝送するＩＰ電話交換機５とを備えている。    【選択図】図１
2005079857.tif 000002
【特許請求の範囲】
【請求項１】
看護、介護、養護或いは擁護すべき者を収容する病院、老人保健施設、幼稚園、学校等の施設に用いられるインターホンシステムであって、
前記施設の室内に設けられ、識別番号が付与された複数の子機（１）及び前記子機から呼び出しされ通話するための親機（２）と、前記施設内で看護師、介護師、職員或いは教諭が携帯し、映像を表示でき、前記子機から呼び出しされ通話するための携帯型親機（３）と、前記子機と共に室内に設けられ、ＴＣＰ／ＩＰ等のデジタルデータプロトコルによって撮像した映像信号を送信する複数のカメラ（４）と、前記親機、前記携帯型親機及び前記カメラに接続され、前記子機からの呼出信号を前記携帯型親機に伝送し、前記カメラから送信された前記映像信号をデジタルデータとして携帯型親機に伝送するＩＰ電話交換機（５）とを備えることにより前記ＩＰ電話交換機は、前記子機からの呼び出しがあった場合に、前記携帯型親機に前記子機からの前記呼出信号及び呼び出しした子機の識別番号と共に、前記呼び出しした子機の識別番号で特定されたカメラから送信された映像信号を前記携帯型親機に送信することを特徴とするインターホンシステム。
【請求項２】
前記ＩＰ電話交換機は、前記子機からの呼出信号を前記親機を経由して受信することを特徴とする請求項１記載のインターホンシステム。
【請求項３】
前記カメラは、ネットワークハブ（６）を介して前記ＩＰ電話交換機と接続されていることを特徴とする請求項１又は請求項２のインターホンシステム。
【請求項４】
前記ＩＰ電話交換機は、アナログ電話回線、ＩＰ電話回線等の外線通信回線（７）に接続され、前記携帯型親機は、前記外線通信回線を介して外部へ接続することができることを特徴とする請求項１乃至請求項３何れか１項記載のインターホンシステム。
【請求項５】
前記ＩＰ電話交換機には、一般電話機（８）を接続したことを特徴とする請求項１乃至請求項４何れか１項記載のインターホンシステム。
【請求項６】
前記ＩＰ電話交換機は、前記子機からの呼び出し時に送信する前記映像信号を蓄積することを特徴とする請求項１乃至請求項５何れか１項記載のインターホンシステム。
【請求項７】
前記ＩＰ電話交換機に接続され、前記映像信号を蓄積するサーバー（１３）を備え、前記ＩＰ電話交換機は、前記子機からの呼び出し時に送信する前記映像データを前記携帯型親機と前記サーバーに送信することを特徴とする請求項１乃至請求項６何れか１項記載のインターホンシステム。
【請求項８】
前記カメラは、前記ＩＰ電話交換機からの制御信号によりカメラ角度及び／又は倍率を変更することを特徴とする請求項１乃至請求項７何れか１項記載のインターホンシステム。
【請求項９】
前記子機が設けられた室内には、音声センサー等のセンサー（１６）が備えられ、前記センサーの感知によって前記親機及び／又は前記携帯型親機を呼び出し、前記センサーからの感知出力信号に応じて前記カメラのカメラ角度及び／又は倍率を変更することを特徴とする請求項１乃至請求項８何れか１項記載のインターホンシステム。
【請求項１０】
前記施設の玄関に玄関子機（１０、１１）を備え、前記ＩＰ電話交換機は、前記玄関子機からの呼び出し時に、前記親機及び／又は前記携帯型親機に呼出信号を送信することを特徴とする請求項１乃至請求項９何れか１項記載のインターホンシステム。
【請求項１１】
前記玄関子機は、玄関子機カメラ（１１１）を内蔵していることを特徴とする請求項１乃至請求項１０何れか１項記載のインターホンシステム。
【請求項１２】
前記玄関子機カメラは、デジタルの映像信号を送出するものであることを特徴とする請求項１１記載のインターホンシステム。
【請求項１３】
前記玄関子機カメラは、アナログの映像信号を送出するものであり、前記子機カメラからの映像信号をデジタルデータに変換するためのデータ変換機（１４）を備えたことを特徴とする請求項１１記載のインターホンシステム。
【請求項１４】
前記施設の庭等の屋外に拡声スピーカ（１５）を備え、前記親機及び／又は前記携帯型親機は、前記拡声スピーカに放送信号を送信することを特徴とする請求項１乃至請求項１３何れか１項記載のインターホンシステム。
【請求項１５】
前記子機は、悪戯による誤動作を防止するチャイルドロック（１０１）を備えたことを特徴とする請求項１乃至請求項１４何れか１項記載のインターホンシステム。
【発明の詳細な説明】
【技術分野】
【０００１】
本発明はインターホンシステムに係り、特に、子機からの呼び出しがあった場合に当該子機の存在する位置に配置されたカメラの映像を携帯型親機に送信するインターホンシステムに関する。
【背景技術】
【０００２】
従来から、病室内の各病床に設けられ患者によって操作される呼出ボタン及び緊急呼出ボタンを備えたナースコール子機と、ナースステーションに設置されるナースコール親機と、ナースコール子機の呼出ボタンや緊急呼出ボタンの呼び出しを検出して制御機を介してナースコール親機に呼び出しを通報するアダプタと、看護師が携行しナースコール子機やナースコール親機からの呼び出しを受信できる携帯端末とを備えたナースコール装置が知られている（例えば、特許文献１参照。）。
【０００３】
このナースコール装置は、ベッド近傍に設置されたナースコール子機から呼び出しがあった場合に、携帯端末に呼出音を鳴動し、携帯端末とナースコール子機との間において通話を行うことができる。
【０００４】
【特許文献１】特開２０００−２２４３２１号公報
【発明の開示】
【発明が解決しようとする課題】
【０００５】
背景技術に記載した特許文献１に開示されたナースコール装置は、映像信号の伝送線路がないので、音声をやり取りすることはできるが、映像を送信することができなかった。
【０００６】
また、近年、モバイルテレビドアホン（登録商標）などの携帯端末で映像を表示できるインターホンシステムも登場しているが、これらは親機のモニタでの表示内容を一旦外線等を経由してサーバーに転送し、携帯端末はサーバーにアクセスして映像を得るものであり、映像の表示ごとに携帯業者に通話料を払う必要があるので、ランニングコストがかかり、また、内線として利用している携帯端末では使用することができなかった。
【０００７】
さらに、親機から携帯端末に映像信号を送出するインターホンシステムも案出されているが、携帯端末にデータを転送するためには親機から送信される映像信号を一旦交換機を経由して送出する必要があることから交換機に映像信号を通すための特殊な改造が必要となるので、実現できなかった。
【課題を解決するための手段】
【０００８】
本発明の第１の態様であるインターホンシステムは、看護、介護、養護或いは擁護すべき者を収容する病院、老人保健施設、幼稚園、学校等の施設に用いられるインターホンシステムであって、施設の室内に設けられ、識別番号が付与された複数の子機及び子機から呼び出しされ通話するための親機と、施設内で看護師、介護師、職員或いは教諭が携帯し、映像を表示でき、子機から呼び出しされ通話するための携帯型親機と、子機と共に室内に設けられ、ＴＣＰ／ＩＰ等のデジタルデータプロトコルによって撮像した映像信号を送信する複数のカメラと、親機、携帯型親機及びカメラに接続され、子機からの呼出信号を携帯型親機に伝送し、カメラから送信された映像信号をデジタルデータとして携帯型親機に伝送するＩＰ電話交換機とを備えることによりＩＰ電話交換機は、子機からの呼び出しがあった場合に、携帯型親機に子機からの呼出信号及び呼び出しした子機の識別番号と共に、呼び出しした子機の識別番号で特定されたカメラから送信された映像信号を携帯型親機に送信するものである。
【０００９】
第１の態様は本発明の第２の態様であるインターホンシステムにおいて、ＩＰ電話交換機は、子機からの呼出信号を親機を経由して受信するものである。
【００１０】
第１の態様又は第２の態様は本発明の第３の態様であるインターホンシステムにおいて、カメラは、ネットワークハブを介してＩＰ電話交換機と接続されているものである。
【００１１】
第１乃至第３の各態様は本発明の第４の態様であるインターホンシステムにおいて、ＩＰ電話交換機は、アナログ電話回線、ＩＰ電話回線等の外線通信回線に接続され、携帯型親機は、外線通信回線を介して外部へ接続することができるものである。
【００１２】
第１乃至第４の各態様は本発明の第５の態様であるインターホンシステムにおいて、ＩＰ電話交換機には、一般電話機を接続したものである。
【００１３】
第１乃至第５の各態様は本発明の第６の態様であるインターホンシステムにおいて、ＩＰ電話交換機は、子機からの呼び出し時に送信する映像信号を蓄積するものである。
【００１４】
第１乃至第６の各態様は本発明の第７の態様であるインターホンシステムにおいて、ＩＰ電話交換機に接続され、映像信号を蓄積するサーバーを備え、ＩＰ電話交換機は、子機からの呼び出し時に送信する映像データを携帯型親機とサーバーに送信するものである。
【００１５】
第１乃至第７の各態様は本発明の第８の態様であるインターホンシステムにおいて、カメラは、ＩＰ電話交換機からの制御信号によりカメラ角度及び／又は倍率を変更するものである。
【００１６】
第１乃至第８の各態様は本発明の第９の態様であるインターホンシステムにおいて、子機が設けられた室内には、音声センサー等のセンサーが備えられ、センサーの感知によって親機及び／又は携帯型親機を呼び出し、センサーからの感知出力信号に応じてカメラのカメラ角度及び／又は倍率を変更するものである。
【００１７】
第１乃至第９の各態様は本発明の第１０の態様であるインターホンシステムにおいては、施設の玄関に玄関子機を備え、ＩＰ電話交換機は、玄関子機からの呼び出し時に、親機及び／又は携帯型親機に呼出信号を送信するものである。
【００１８】
第１乃至第１０の各態様は本発明の第１１の態様であるインターホンシステムにおいて、玄関子機は、玄関子機カメラを内蔵しているものである。
【００１９】
第１１の態様は本発明の第１２の態様であるインターホンシステムにおいて、玄関子機カメラは、デジタルの映像信号を送出するものである。
【００２０】
第１１の態様は本発明の第１３の態様であるインターホンシステムにおいて、玄関子機カメラは、アナログの映像信号を送出するものであり、子機カメラからの映像信号をデジタルデータに変換するためのデータ変換機を備えたものである。
【００２１】
第１乃至第１３の各態様は本発明の第１４の態様であるインターホンシステムにおいて、施設の庭等の屋外に拡声スピーカを備え、親機及び／又は携帯型親機は、拡声スピーカに放送信号を送信するものである。
【００２２】
第１乃至第１４の各態様は本発明の第１５の態様であるインターホンシステムにおいて、子機は、悪戯による誤動作を防止するチャイルドロックを備えたものである。
【発明の効果】
【００２３】
本発明のインターホンシステムの第１の態様によれば、デジタル信号を処理可能なＩＰ電話交換機に、室内に設けられたカメラを直接接続していることから、カメラからの映像信号をＩＰ交換機でデジタルデータとして携帯型親機に伝送することができるので、親機で特別な映像処理を施すことなく、携帯型親機にカメラで撮像された室内の映像を表示させることができる。
【００２４】
本発明のインターホンシステムの第２の態様によれば、ＩＰ電話交換機は子機からの呼出信号を親機を経由して受信することができるので、呼び出しした子機の識別番号を特定することができる。
【００２５】
本発明のインターホンシステムの第３の態様によれば、ＩＰ電話交換機とカメラとはネットワークハブによって接続させるので、配線工事が容易となる。
【００２６】
本発明のインターホンシステムの第４の態様によれば、ＩＰ電話交換機は外線通信回線を介して外部へ接続することができるので、携帯型親機は子機、親機等のインターホン機器と、外線に接続された各種通信機器に対して通信が可能になる。
【００２７】
本発明のインターホンシステムの第５の態様によれば、ＩＰ電話交換機は一般電話機も接続することができるので、外線用交換機とインターホン用交換機とを別々に導入する必要がなくなる。
【００２８】
本発明のインターホンシステムの第６の態様によれば、ＩＰ電話交換機は映像データを蓄積することができるので、携帯型親機は後ほど映像を確認したい場合にも、当該ＩＰ電話交換機に蓄積された映像データを用いて映像を閲覧することができる。
【００２９】
本発明のインターホンシステムの第７の態様によれば、映像データを蓄積するためのサーバーがＩＰ電話交換機に接続されているので、映像データを蓄積する容量を大幅に増大させることができる。
【００３０】
本発明のインターホンシステムの第８の態様によれば、施設の室内に１台のカメラのみを設置するだけで、子機で呼び出しを行った人の映像を表示することができるようになるので、カメラによる撮像死角をなくすことができる。
【００３１】
本発明のインターホンシステムの第９の態様によれば、施設の室内に設けらたセンサーの反応した方角の映像を表示することができるようになるので、カメラによる撮像死角をなくすことができる。
【００３２】
本発明のインターホンシステムの第１０の態様によれば、ＩＰ電話交換機は玄関子機からの呼び出し時に、親機や携帯型親機に呼出信号を送信することができるので、親機や携帯型親機は施設の室内からの呼び出しだけではなく、玄関からの呼び出しに対しても応答することができる。
【００３３】
本発明のインターホンシステムの第１１の態様によれば、玄関子機は子機カメラを内蔵しているので、携帯型親機は施設の室内からの映像だけでなく、玄関からの映像も表示することができる。
【００３４】
本発明のインターホンシステムの第１２の態様によれば、玄関子機カメラはデジタルの映像信号を送出することができることから、携帯型親機は玄関からの映像も施設の室内のカメラと同様にこの玄関子機カメラからの映像信号をＩＰ交換機でデジタルデータとして携帯型親機に伝送することができるので、親機で特別な映像処理を施すことなく、携帯型親機にカメラで撮像された室内の映像を表示させることができる。
【００３５】
本発明のインターホンシステムの第１３の態様によれば、玄関子機カメラからの映像信号をデジタルデータに変換するためのデータ変換機を備えたので、玄関子機カメラを内蔵した玄関子機は、既存の機器をそのまま使用することができる。
【００３６】
本発明のインターホンシステムの第１４の態様によれば、屋外に拡声スピーカを備えたので、携帯型親機や親機を使用して、病院の中庭や幼稚園の園庭等に放送を行うことができる。
【００３７】
本発明のインターホンシステムの第１５の態様によれば、子機にチャイルドロックを備えたので、幼稚園等で子供が悪戯で操作しても誤動作を防止することができる。
【発明を実施するための最良の形態】
【００３８】
以下、本発明のインターホンシステムを実施するための最良の形態例について、図面を参照して説明する。
【００３９】
本発明を実施するための最良の一形態であるインターホンシステムは図１に示すように、例えば看護すべき者である患者を収容する病院に用いられるナースコールシステムで、呼出報知機能及び通話機能が備えられナースステーションＮＳに設置される親機２と、呼出報知機能及び通話機能が備えられ巡回時等の看護師が携行する複数の携帯型親機３と、呼出機能及び通話機能を備えると共に親機２に接続され病室ＳＲＡ、ＳＲＢ内の病床及び共用室ＣＵにそれぞれ設置される識別番号が付与された子機１と、子機１と共に病室ＳＲＡ、ＳＲＢ及び共用室ＣＵの室内に設けられ、ＴＣＰ／ＩＰ等のデジタルデータ用の汎用プロトコルによって撮像した映像の映像信号Ｓ１を送信するカメラ４と、親機２、携帯型親機３及びカメラ４に接続され、親機２を経由して送信された子機１からのアナログの呼出信号Ｓ２を携帯型親機３に伝送し、カメラ４から送信された映像信号Ｓ１をデジタルデータとして携帯型親機３に伝送するＩＰ（Internet Protocol）電話交換機５とを備えている。なお、カメラ４は病院の庭園ＧＤにも設置されている。
【００４０】
ＩＰ電話交換機５は、アナログ信号とＩＰパケット（デジタル）の変換機能を有する交換機で、子機１からの呼び出しがあった場合に、携帯型親機３に子機１からの呼出信号Ｓ２及び呼び出した子機１の識別番号と共に、呼び出した子機１の識別番号で特定されたカメラ４から送信された映像信号Ｓ１を携帯型親機３に送信するものである。具体的には、病院内の廊下や庭園ＧＤに設置されている基地局１２がＩＰ電話交換機５に接続されているので、この基地局１２と携帯型親機３とが無線通信を行うことになる。また、各カメラ４は、ＩＰ電話交換機５に接続されているネットワークハブ６に接続されている。これにより、配線工事が容易になる。このようなＩＰ電話交換機５は、呼出信号Ｓ２から各病室ＳＲＡ、ＳＲＢ、共用室ＣＵを特定し、当該ＩＰ電話交換機５に記憶された各病室とカメラアドレスの対応テーブルを有し、この対応テーブルに基づき呼び出しした子機１が設置されている当該病室や共用室にあるカメラ４のＩＰアドレスを特定することができる。したがって、呼び出しした子機１の識別番号で特定されたカメラ４から送信された映像信号Ｓ１を、携帯型親機３に送信することができる。
【００４１】
また、ＩＰ電話交換機５は、子機１の呼び出し時に送信する映像信号Ｓ１を蓄積する機能を有している。これにより、ＩＰ電話交換機５は映像データを蓄積することができるので、携帯型親機３は後ほど映像を確認したい場合にも、当該ＩＰ電話交換機５に蓄積された映像データを用いてカメラからの映像を閲覧することができる。また、ＩＰ電話交換機５に、映像信号Ｓ１を蓄積するためのサーバー１３を接続してもよい。これにより、映像データを蓄積する容量を大幅に増大させることができる。
【００４２】
また、ＩＰ電話交換機５は、アナログ電話回線、ＩＰ電話回線等の外線通信回線７に接続させることができるので、携帯型親機３は子機１、親機２、カメラ４等のインターホン機器と、外線通信回線７に接続された各種通信機器に対して通信が可能になる。さらに、一般電話機８をＩＰ電話交換機５に接続すれば、外線用交換機とナースコール用交換機とを別々に導入する必要がなくなり、この１台のＩＰ電話交換機５を導入するだけで一般電話機８と外線通信回線７との通信接続ができるようになる。
【００４３】
また、ＩＰ電話交換機５は、親機２や携帯型親機３等の外部機器によるリモート制御に基づく制御信号を送信してカメラ４の角度や倍率を変更する機能を有している。これにより、各室内に１台のカメラ４のみを設置するだけで、子機１で呼び出しを行った患者の映像を表示することができるようになるので、カメラ４による撮像死角をなくすことができ、また、庭園ＧＤでは１台のカメラ４で広範囲を撮像範囲として撮像することができるようになる。このＩＰ電話交換機５は、病室ＳＲＡ、ＳＲＢや共用室ＣＵの各室内における子機１の位置と、設定すべきカメラ４の撮像角度や倍率との対応テーブルを有し、呼び出しのあった子機１の周辺を撮像できるようにカメラ４の撮像角度や倍率を変更する機能を有している。
【００４４】
このようなＩＰ電話交換機５は親機２に接続されている。この親機２には、病室ＳＲＡ、ＳＲＢ及び共用室ＣＵの各室内に備えられる音声センサー等のセンサー１６が接続されている。ＩＰ電話交換機５は、病室ＳＲＡ、ＳＲＢや共用室ＣＵの各室内におけるセンサー１６の感知方向と、設定すべきカメラ４の撮像角度や倍率との対応テーブルを有し、センサー１６からの感知出力信号Ｓ３に応じてカメラ４の角度や倍率を変更する機能を有している。
【００４５】
また、これらカメラ４の角度や倍率を変更するための対応テーブルは、ＩＰ電話交換機５に接続されているサーバー１３に具備してもよく、子機１の周辺の映像やセンサー１６の反応した方角の映像を表示することができるようになるので、カメラ４による撮像死角をなくすことができる。
【００４６】
なお、カメラ４の角度や倍率の変更は、カメラ４の機能に基づき角度、倍率の何れか一方でもよく、また、両方でもよい。
【００４７】
また、親機２には、共用室ＣＵや庭園ＧＤに備えられた拡声スピーカ１５が接続されている。これにより、親機２は各拡声スピーカ１５に放送信号Ｓ４、Ｓ５を送信することができ、また、携帯型親機３は各拡声スピーカ１５に基地局１２→ＩＰ電話交換機５→親機２を介して放送信号Ｓ４′、Ｓ５′を送信することができるので、親機２や携帯型親機３を使用して、病院の共用室ＣＵや庭園ＧＤに拡声放送を行うことができる。
【００４８】
さらに、親機２には、病院の通用口ＳＤに設置するための玄関子機１０が接続されている。ＩＰ電話交換機５は、この玄関子機１０からの呼び出し時に、携帯型親機３にデジタルの呼出信号を送信する機能を有している。これにより、携帯型親機３はナースステーションＮＳ、病室ＳＲＡ、ＳＲＢや共用室ＣＵからの呼び出し（ナースコール）だけではなく、通用口ＳＤからの呼び出しに対しても応答することができるようになる。なお、玄関子機はカメラ１１１が内蔵された玄関子機１１でもよい。これにより、携帯型親機３は病室ＳＲＡ、ＳＲＢ、共用室ＣＵ及び庭園ＧＤからの映像だけではなく、通用口ＳＤからの映像も表示することができる。
【００４９】
このような玄関子機１１が接続されているＩＰ電話交換機５は、ＩＰ電話交換機５に記憶された通用口ＳＤとカメラアドレスの対応テーブルを有し、玄関子機１１から送信される呼出信号Ｓ６から通用口ＳＤを特定すると共に、対応テーブルに基づき呼び出しした玄関子機１１に内蔵されたカメラ１１１のＩＰアドレスを特定することができる。したがって、呼び出しした玄関子機１１の識別番号で特定されたカメラ１１１から送信されたアナログの映像信号Ｓ７は、親機２を介してデータ変換機１４に送出され、データ変換機１４はこの映像信号Ｓ７をデジタルの映像信号Ｓ７０に変換してＩＰ電話交換機５に送出するので、ＩＰ電話交換機５は映像信号Ｓ７０を基地局１２を介して携帯型親機３に送信することができる。
【００５０】
なお、一般に、玄関子機に使用されているカメラはアナログ方式が主流なので、カメラ１１１から送出されるアナログの映像信号Ｓ７をデジタルの映像信号Ｓ７０に変換するデータ変換機１４を介して親機２とＩＰ電話交換機５とを接続させる。これにより、既存のカメラ付玄関子機を使用することができる。
【００５１】
また、玄関子機１１に内蔵されるカメラ１１１にデジタルの映像信号を送出するものを使用する場合には、当該映像信号を親機２を経由してＩＰ電話交換機５に送出するか、あるいは当該映像信号を直接ＩＰ電話交換機５に送出できるように、カメラ１１１とＩＰ電話交換機５とを接続してもよい。これにより、携帯型親機３は通用口ＳＤからの映像も病院の室内のカメラ４と同様に、玄関子機１１のカメラ１１１からのデジタルの映像信号をＩＰ電話交換機５で携帯型親機３に伝送することができるので、親機２で特別な映像処理を施すことなく、携帯型親機３にカメラ１１１で撮像された室内の映像を表示させることができる。
【００５２】
このように構成されたナースコールシステムにおいて、例えば、病室ＳＲＡの子機１で呼び出しを行うと、この呼出信号Ｓ２は親機２に伝送され、親機２では呼出音と共に呼び出しした病室、あるいはベッド番号に対応する表示部が点灯する。また、親機２に携帯型親機３への転送設定がされている場合には、表示部の点灯と同時に親機２はＩＰ電話交換機５に対して呼出信号Ｓ２を送出する。呼出信号Ｓ２を受信したＩＰ電話交換機５は、当該呼出信号Ｓ２から、呼び出しした子機１の識別番号から病室ＳＲＡを特定し、ＩＰ電話交換機５に記憶された病室とカメラアドレスの対応テーブルに基づき、当該病室ＳＲＡに設けられたカメラ４のＩＰアドレスを特定する。即ち、ＩＰ電話交換機５は子機１からの呼出信号Ｓ２を親機２を経由して受信することができるので、呼び出しした子機１の識別番号を特定することができる。また、この際、ＩＰ電話交換機５は、各室内における子機１の位置と、設定すべきカメラ４の撮像角度や倍率との対応テーブルに基づき、呼び出しした子機１の周辺を撮像できるように、カメラ４に制御信号を送出して当該カメラ４の撮像角度や倍率を変更する。このようにして呼び出しした子機１の周辺の撮影を開始したカメラ４はデジタルデータプロトコルによってＩＰ電話交換機５に対してネットワークハブ６を介してデジタル信号を通信できるので、ＩＰ電話交換機５はカメラ４からの映像信号（デジタル）Ｓ１を携帯型親機３で閲覧可能なフォーマットに変換し、無線信号として呼出信号（デジタル）Ｓ２０と共に映像信号（デジタル）Ｓ１０を基地局１２から無線送信する。携帯型親機３はこの無線送信された呼出信号（デジタル）Ｓ２０を受信すると、同時に無線送信される映像信号（デジタル）Ｓ１０により、患者の表情、病室内の様子を確認して応答ができるので、患者に対する緊急性があるか否かを映像でも確認することができる。
【００５３】
なお、カメラ４から送出された映像信号（デジタル）Ｓ１はＩＰ電話交換機５或いはサーバー１３に蓄積されるので、呼び出し時の映像を後日確認することができる。
【００５４】
次に、病室ＳＲＢにおいて音声センサー１６が患者の声を検出すると、音声センサー１６から親機２に感知出力信号Ｓ３が伝送され、親機２は、ＩＰ電話交換機５に対してこの感知出力信号Ｓ３を送出する。感知出力信号Ｓ３を受信したＩＰ電話交換機５は、このＩＰ電話交換機５に記憶された各室内におけるセンサー１６の感知方向と、設定すべきカメラ４の撮像角度や倍率の対応テーブルに基づき、当該病室ＳＲＢに設けられたカメラ４のＩＰアドレスを特定すると共にそのカメラ４の撮像角度や倍率を変更する。このようにしてセンサー１６が感知した方角の撮影を開始したカメラ４はデジタルデータプロトコルによってＩＰ電話交換機５に対してネットワークハブ６を介してデジタル信号を通信できるので、ＩＰ電話交換機５はカメラ４からの映像信号（デジタル）Ｓ１を携帯型親機３で閲覧可能なフォーマットに変換し、無線信号として映像信号（デジタル）Ｓ１０を基地局１２から無線送信する。携帯型親機３は無線送信された映像信号（デジタル）Ｓ１０により、患者の表情、病室内の様子を確認して応答ができるので、患者に対する緊急性があるか否かを映像で確認することができる。
【００５５】
また、通用口ＳＤの玄関子機１１から呼び出しがあった場合においても上述した病室ＳＲＡ、ＳＲＢや共用室ＣＵと同様に、呼出信号Ｓ６は親機２に伝送され、親機２では呼出音と共に呼び出しした通用口ＳＤに対応する表示部が点灯する。また、これと同時に親機２は、ＩＰ電話交換機５に対して呼出信号Ｓ６を送出する。呼出信号Ｓ６を受信したＩＰ電話交換機５は、当該呼出信号Ｓ６から、通用口ＳＤを特定し、ＩＰ電話交換機５に記憶された通用口ＳＤとカメラアドレスの対応テーブルに基づき、当該通用口ＳＤに設けられた玄関子機１１のカメラ１１１のＩＰアドレスを特定する。このようにして呼び出しした玄関子機１１の周辺の撮影を開始したカメラ１１１は映像信号（アナログ）Ｓ７を親機２に送出し、親機２はこの映像信号（アナログ）Ｓ７をデータ変換機１４に送出する。データ変換機１４は、映像信号（アナログ）Ｓ７をデジタルの映像信号Ｓ７０に変換してＩＰ電話交換機５に送出する。ＩＰ電話交換機５はこの映像信号（デジタル）Ｓ７０を携帯型親機３で閲覧可能なフォーマットに変換し、無線信号として呼出信号（デジタル）Ｓ６０と共に映像信号（デジタル）Ｓ７０を基地局１２から無線送信する。携帯型親機３は無線送信された呼出信号Ｓ６０を受信すると、同時に送信される映像信号（デジタル）Ｓ７０により、通用口ＳＤで呼び出しした人を映像で確認できる。
【００５６】
なお、通用口ＳＤの玄関子機１０で呼び出しがあった場合には、玄関子機１１から呼び出しがあった場合における映像信号の通信以外はすべて同様なので説明を省略する。
【００５７】
また、通話の場合は、子機１や玄関子機１０、１１から親機２に呼び出しがあると、ナースステーションＮＳの看護師等が親機２のハンドセットを取り上げることにより子機１や玄関子機１０、１１と、親機２との間の通話路が形成され通話が成立する。また、携帯型親機３においても通話状態に操作することにより子機１や玄関子機１０、１１と、携帯型親機３との通話路が形成され通話路が成立する。この場合、ＩＰ電話交換機５がアナログ音声信号とデジタル音声信号とを変換するので、通話が成立する。
【００５８】
このように、病室等に備えられたカメラから送られた映像信号をデジタルデータとして携帯型親機に伝送するＩＰ電話交換機とを備えることにより、簡単な機器構成で、病室等のカメラで撮像された映像を携帯型親機に送出することができるようになる。
【００５９】
なお、本発明の最良の実施の一形態においては、便宜上、病室をＡ、Ｂの２室にしていたが、これに限らず、何室設けられていても本発明の効果を奏することができる。
【００６０】
また、本発明の最良の実施の一形態においては、親機２には表示手段を具備していなかったが、病室Ａ、Ｂ、共用室ＣＵの各カメラ４やカメラ付玄関子機１１のカメラ１１１で撮像された映像をナースステーションで確認できるように表示手段を具備するようにしてもよい。
【００６１】
また、これまで本発明について図面に示した特定の実施の形態をもって説明してきたが、本発明は図面に示したこれらの実施の形態に限定されるものではなく、本発明の効果を奏する限りこれまで知られたいかなる構成であっても採用することができることはいうまでもないことである。
【産業上の利用可能性】
【００６２】
上述した本発明のインターホンシステムを実施するための最良の一形態例においては、病院でナースコールシステムとして用いていたが、これに限らず、老人保険施設、幼稚園、学校等の介護或いは擁護すべき者を収容する施設ならば、どのような施設でも適用させることができ、携帯型親機３は介護師、職員或いは教諭等が携帯することになる。また、幼稚園や保育園の場合には、図１に示すように、子供が悪戯で操作しても誤動作を防止することができるように子機１にチャイルドロック１０１を備えるとよい。
【図面の簡単な説明】
【００６３】
【図１】本発明のインターホンシステムによる最良な実施の一形態を示すブロック図。
【符号の説明】
【００６４】
１……子機
２……親機
３……携帯型親機
４……カメラ
５……ＩＰ電話交換機
６……ネットワークハブ
７……外線通信回線
８……一般電話機
１０……玄関子機
１１……カメラ付玄関子機
１３……サーバー
１４……データ変換機
１５……拡声スピーカ
１６……センサー
１０１……チャイルドロック
１１１……玄関子機カメラ
【図１】
2005079857.tif 000003